【事件の表示】
　特許第３３２７３１４号「インクジェット式記録ヘッド」の請求項１乃至６に係る特許に対する特許異議の申立てについて、次のとおり決定する。
【結　論】
　訂正を認める。
　特許第３３２７３１４号の請求項１乃至４に係る特許を維持する。
【理　由】
１．手続きの経緯
　本件特許第３３２７３１４号発明は、平成７年４月５日に出願され、平成１４年７月１２日にその特許の設定登録がなされ、その後、松井弘三より請求項１乃至６に係る発明について特許異議の申立てがなされ、取消理由通知がなされ、その指定期間内である平成１５年１１月１２日に訂正請求がなされたものである。
　
２．訂正の適否についての判断
（１）訂正の内容（下線は訂正箇所を示す）
　１）訂正事項ａ
　特許請求の範囲を次のとおり訂正する。
「【請求項１】インク供給口を介して外部のインクタンクからインクの供給を受け、圧力発生手段により前記インクを加圧する圧力発生室と、前記圧力発生室で加圧されたインクをインク滴として吐出するノズル開口とを備えた記録ヘッド本体と、
　前記記録ヘッド本体を収容する凹部と、前記インクタンクとインク供給口とを連通させ、前記インク供給口と対向する前記凹部の底面に前記インク供給口を取り囲み、かつ周囲より突出した縁部を備えた接続口とが形成されたホルダとを、前記記録ヘッド
本体
り、
前記縁部の突出により、前記縁部の外側領域には前記凹部の底面と前記記録ヘッド本体とを前記塗布した接着剤により固定する接着剤収容用の間隙が形成され、また前記縁部の内面側には前記外側領域から流れ込んだ接着剤を吸収して前記インク供給口に流れ込むのを阻止する接着剤吸収用の空間が形成されてい
　【請求項２】前記記録ヘッド本体が、圧力発生室を形成するスペーサと、該スペーサの一方の面を封止するとともにたわみ変位する圧電振動板を備えた弾性板と、前記スペーサの他面を封止する蓋部材とを一体に形成してなるアクチュエータユニットと、リザーバ室を形成するリザーバ室形成基板と、該リザーバ室形成基板の一方の面を封止するとともにインクタンクからのインクの供給を受けるインク供給口を備え、前記アクチュエータユニットが固定されるインク供給口形成基板と、前記リザーバ室形成基板の他方の面を封止するとともに、前記圧力発生室に連通するノズル開口群を備えたノズルプレートとを一体に形成してなる流路ユニットとからなり、前記アクチュエータユニットを前記流路ユニットに固定して構成されている請求項１に記載のインクジェット式記録ヘッド。
　【請求項３】前記流路ユニットに複数の前記アクチュエータユニットが固定され
、かつ前記アクチュエータユニットに対応して前記インク供給口が複数列状に形成され
また
が、複数の前記
し、かつ両端に位置する前記インク供給口に対しては若干オーバラップ
に記載
　【請求項４】
前記流路ユニットに複数の前記アクチュエータユニットが固定され、かつ前記アクチュエータユニットに対応して前記インク供給口が複数列状に形成されており、また
複数の前記
をカバーし、かつ前記接続口の長手方向の前記縁部が、複数の前記インク供給口と
細長く
２に記載
　２）訂正事項ｂ
　明細書段落【０００７】を次のとおり訂正する。
「【課題を解決するための手段】
　このような問題を解消するために本発明においては、インク供給口を介して外部のインクタンクからインクの供給を受け、圧力発生手段により前記インクを加圧する圧力発生室と、前記圧力発生室で加圧されたインクをインク滴として吐出するノズル開口とを備えた記録ヘッド本体と、
　前記記録ヘッド本体を収容する凹部と、前記インクタンクとインク供給口とを連通させ、前記インク供給口と対向する前記凹部の底面に前記インク供給口を取り囲み、かつ周囲より突出した縁部を備えた接続口とが形成されたホルダとを、前記記録ヘッド
本体
してなり、前記縁部の突出により、前記縁部の外側領域には前記凹部の底面と前記記録ヘッド本体とを前記塗布した接着剤により固定する接着剤収容用の間隙が形成され、また前記縁部の内面側には前記外側領域から流れ込んだ接着剤を吸収して前記インク供給口に流れ込むのを阻止する接着剤吸収用の空間が形成されている
　
（２）訂正の目的、新規事項の有無、拡張変更の存否の各要件についての判断
　１）訂正事項ａについて
　本訂正は、請求項１について、接着剤塗布に係る外周が記録ヘッド本体の外周であることを願書に添付した明細書又は図面に記載した事項（特に図５とその説明記載参照）の範囲内で明瞭にすると共に、縁部がどのようなものであるのかを請求項２の内容を繰り入れて更に願書に添付した明細書又は図面に記載した事項（特に明細書段落【００２０】〜【００２５】参照）の範囲内で限定するものである。
　また、請求項２を削除し、請求項３の請求項番号を１つ繰り上げて新たな請求項２とするものである。
　さらに、請求項４について、請求項５の内容を繰り入れて限定して更に願書に添付した明細書又は図面に記載した事項（特に明細書段落【００２７】及び図４，６，７参照）の範囲内で明瞭にすると共に、請求項番号を１つ繰り上げて新たな請求項３とするものである。
　さらにまた、請求項５を削除して請求項６の請求項番号を２つ繰り上げて新たな請求項４とし、新たな請求項４について、訂正前の請求項４の内容を繰り入れて限定して更に願書に添付した明細書又は図面に記載した事項（特に明細書段落【００２８】及び図４，６参照）の範囲内で明瞭にすると共に、引用する請求項を請求項２とするものである。
　したがって、本訂正は、特許請求の範囲の減縮と明りょうでない記載の釈明を目的とし、新規事項の追加に該当せず、実質上特許請求の範囲を拡張し又は変更するものでもない。
　２）訂正事項ｂについて
　訂正事項ｂは訂正事項ａにより訂正された特許請求の範囲に発明の詳細な説明の記載を整合させるための訂正であり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める
　
３．異議申立てについての判断
（１）異議申立ての概要
　異議申立人松井弘三は、請求項４中の「流路ユニット」と「アクチュエータユニット」が請求項１，２に記載がなく、請求項５中の「両端の前記インク供給口」が請求項１に記載がないことを理由として、特許法第３６条に規定する要件を満たしていない旨主張し、また、甲第１乃至５号証を証拠として、請求項１乃至６に係る発明は特許法第２９条第２項の規定により特許を受けることができない旨主張している。
　これらの主張のうち、特許法第３６条に係る主張理由は訂正により解消されているため、以下においては特許法第２９条第２項に係る主張について検討する。
　
（２）本件発明
　本件請求項１乃至４に係る発明は、訂正明細書の特許請求の範囲の請求項１乃至４に記載されたとおりのものである（上記訂正事項ａ参照）。
　
（３）甲各号証とその記載事項
　甲各号証とその記載事項は次のとおりである。
　１）甲第１号証：特開平４−１４６１５２号公報
　ヘッドケース接続用インク室５ａ（又は申立人が符号６Ａを付した部分）を介して外部のインクタンクからインクの供給を受け、圧力素子１０により前記インクを加圧する流路空間３と、前記流路空間３で加圧されたインクをインク滴として吐出するインク噴射ノズル２とを備えた記録ヘッド本体と、前記記録ヘッド本体を収容する凹部と、前記インクタンクとヘッドケース接続用インク室５ａとを連通させ、前記ヘッドケース接続用インク室５ａと対向する前記凹部の底面に前記ヘッドケース接続用インク室５ａを取り囲み、かつ周囲より突出した延長部分（申立人が符号７Ａを付した部分）を備え且つフィルター８を内部に固着したインク経路１２ｂとが形成されたヘッドケース１２とを、固定してなるインクジェット式記録ヘッド、等が図面と共に記載されている。
　２）甲第２号証：特開平４−１４４７５１号公報
　流路基板１の外周全域でヘッドケース６が接着されてなるインクジェット式記録ヘッド、等が図面と共に記載されている。
　３）甲第３号証：特開平４−２４７９４５号公報
　インク供給路部材６００の導管１６００と天板１３００のインク導入口１５００との接続部の外周に封止部材３９９を介し、天板１３００の環状突起１５００ｂの内周に凹状部分（申立人が符号１５００Ａを付した部分）が形成されているインクジェット式記録ヘッド、等が図面と共に記載されている。
　４）甲第４号証：特開平６−４００３０号公報
　インク加圧室４６を形成するスペーサプレート７０と、該スペーサプレート７０の一方の面を封止するとともにたわみ変位する圧電／電歪素子７８を備えた閉塞プレート６６と、前記スペーサプレート７０の他面を封止する接続プレート６８とを一体に形成してなるインクポンプ部材４４と、インク供給流路６２を形成する流路プレート５２と、該流路プレート５２の一方の面を封止するとともにインクタンクからのインクの供給を受けるインク供給口６４を備え、前記インクポンプ部材４４が固定されるオリフィスプレート５０と、前記流路プレート５２の他方の面を封止するとともに、前記圧力発生室に連通するノズル孔５４群を備えたノズルプレート４８とを一体に形成してなるインクノズル部材４２とからなり、前記インクポンプ部材４４を前記インクノズル部材４２に固定してなるインクジェット式記録ヘッド、等が図面と共に記載されている。
　５）甲第５号証：特開昭６２−１１１７５８号公報
　供給管２４が、２つのマニホールド２８，２８のそれぞれの端部（申立人が符号２８Ａを付した部分）に対向して跨り、かつ、開口８の外周端部上面に接しているインクジェット式記録ヘッド、等が図面と共に記載されている。
　
（４）対比・判断
　まず、本件請求項１に係る発明（前者）と甲第１号証に記載された発明（後者）とを対比するに、後者の「ヘッドケース接続用インク室５ａ」、「圧力素子１０」、「流路空間３」、「インク噴射ノズル２」、「インク経路１２ｂ」、「ヘッドケース１２」は、前者の「インク供給口」、「圧力発生手段」、「圧力発生室」、「ノズル開口」、「接続口」、「ホルダ」に対応し、後者の「延長部分７Ａ」は一応「縁部」と表現してよいから、両者は「インク供給口を介して外部のインクタンクからインクの供給を受け、圧力発生手段により前記インクを加圧する圧力発生室と、前記圧力発生室で加圧されたインクをインク滴として吐出するノズル開口とを備えた記録ヘッド本体と、前記記録ヘッド本体を収容する凹部と、前記インクタンクとインク供給口とを連通させ、前記インク供給口と対向する前記凹部の底面に前記インク供給口を取り囲み、かつ周囲より突出した縁部を備えた接続口とが形成されたホルダとを、固定してなるインクジェット式記録ヘッド。」である点で一致し、次の点で相違する。
　＜相違点＞前者が、記録ヘッド本体とホルダとを「前記記録ヘッド本体の外周、及び前記接続口の縁部の外側領域とに接着剤を塗布して固定してなり」、かつ、「前記縁部の突出により、前記縁部の外側領域には前記凹部の底面と前記記録ヘッド本体とを前記塗布した接着剤により固定する接着剤収容用の間隙が形成され、また前記縁部の内面側には前記外側領域から流れ込んだ接着剤を吸収して前記インク供給口に流れ込むのを阻止する接着剤吸収用の空間が形成されている」のに対して、後者ではこれらのことが不明である点。
　
　以下、相違点について検討する。
　甲第１号証には、例えば「第４図において・・・内部にインク経路を形成する・・・形状が・・・延長され、振動板６に接着、もしくは、溶着されている。」（２頁右下欄１１〜１５行）などの記載がみられ、それ以上には記録ヘッド本体とホルダとの固定手段についての記載はないが、甲第２号証の記載からみて、記録ヘッド本体の外周に接着剤を塗布して固定する程度のことは容易に想起できるものである。
　しかしながら、甲第１号証記載の縁部（延長部分７Ａ）は、図面に明示されているように凹部の底面から相当程度突出延長されており、申立人が主張するように甲第２，３号証の記載を勘案したとしても、ホルダ（ヘッドケース１２）の外周壁内面との間に形成された間隙において、塗布した接着剤により、凹部底面と記録ヘッド本体とを固定するというのは想起し難いことであり、かつ、甲第４，５号証の記載から示唆されるものでもない。
　むしろ、甲第１号証記載の図面に基づけば、ホルダ（ヘッドケース１２）の外周壁内面に形成された段差部（申立人が符号１２Ａを付して凹部と称している部分）での接着が容易に想起されるのであるが、このような段差部を凹部又は凹部底面とするのは不自然であると共に、この段差部から縁部（延長部分７Ａ）が突出形成されているわけではない。
　また、甲第１号証記載の縁部（延長部分７Ａ）の内面側に形成される空間についても、図面に明示されているように相当程度高さがあり、仮に縁部（延長部分７Ａ）の外側領域から接着剤が流れ込んだときに、インク供給口に流れ込むのを阻止すべく、その接着剤を吸収できるような空間であるとはいえず、かつ、そのような空間にすることは甲第２乃至５号証の記載から示唆されるものでもない。
　これらのことから、上記相違点を当業者が容易になし得ることとはいえず、しかも、前者即ち本件請求項１に係る発明は、上記相違点に係る構成を備えることにより明細書に記載された格別の作用効果を奏するものであるから、甲第１乃至５号証記載の発明に基づいて当業者が容易に発明をすることができたものではない。
　
　次に、本件請求項２乃至４に係る発明について検討するに、これらの発明は、いずれも本件請求項１に係る発明の構成要件の全てを構成要件の一部とするものであるから、少なくとも本件請求項１に係る発明についての判断と同様の理由により、甲第１乃至５号証記載の発明に基づいて当業者が容易に発明をすることができたものではない。
　
　以上のことから、特許法第２９条第２項に係る申立人の主張も理由がないものである。
　
４．むすび
　したがって、特許異議の申立ての理由によっては本件請求項１乃至４に係る発明についての特許を取り消すことはできない。
　また、他に本件請求項１乃至４に係る発明についての特許を取り消すべき理由を発見しない。
　よって、結論のとおり決定する。
【異議決定日】
平成１５年１１月２６日（２００３．１１．２６）
【訂正の要旨】
審決（決定）の【理由】欄参照。
（５４）【発明の名称】
インクジェット式記録ヘッド
（５７）【特許請求の範囲】
　【請求項１】　インク供給口を介して外部のインクタンクからインクの供給を受け、圧力発生手段により前記インクを加圧する圧力発生室と、前記圧力発生室で加圧されたインクをインク滴として吐出するノズル開口とを備えた記録ヘッド本体と、
　前記記録ヘッド本体を収容する凹部と、前記インクタンクとインク供給口とを連通させ、前記インク供給口と対向する前記凹部の底面に前記インク供給口を取り囲み、かつ周囲より突出した縁部を備えた接続口とが形成されたホルダとを、前記記録ヘッド本体の外周、及び前記接続口の縁部の外側領域とに接着剤を塗布して固定してな
り、
　
前記縁部の突出により、前記縁部の外側領域には前記凹部の底面と前記記録ヘッド本体とを前記塗布した接着剤により固定する接着剤収容用の間隙が形成され、また前記縁部の内面側には前記外側領域から流れ込んだ接着剤を吸収して前記インク供給口に流れ込むのを阻止する接着剤吸収用の空間が形成されてい
　【請求項２】　前記記録ヘッド本体が、圧力発生室を形成するスペーサと、該スペーサの一方の面を封止するとともにたわみ変位する圧電振動板を備えた弾性板と、前記スペーサの他面を封止する蓋部材とを一体に形成してなるアクチュエータユニットと、リザーバ室を形成するリザーバ室形成基板と、該リザーバ室形成基板の一方の面を封止するとともにインクタンクからのインクの供給を受けるインク供給口を備え、前記アクチュエータユニットが固定されるインク供給口形成基板と、前記リザーバ室形成基板の他方の面を封止するとともに、前記圧力発生室に連通するノズル開口群を備えたノズルプレートとを一体に形成してなる流路ユニットとからなり、前記アクチュエータユニットを前記流路ユニットに固定して構成されている請求項１に記載のインクジェット式記録ヘッド。
　【請求項３】　前記流路ユニットに複数の前記アクチュエータユニットが固定され
、かつ前記アクチュエータユニットに対応して前記インク供給口が複数列状に形成され
また
が、複数の前記
し、かつ両端に位置する前記インク供給口に対しては若干オーバラップ
に記載
　【請求項４】　前記流路ユニットに複数の前記アクチュエータユニットが固定され、かつ前記アクチュエータユニットに対応して前記インク供給口が複数列状に形成されており、また前記接続口は、複数の前記インク供給口をカバーし、かつ前記接続口の長手方向の前記縁部が、複数の前記インク供給口と接するように細長く形成されている請求項
２に記載
【発明の詳細な説明】
　【０００１】
　【産業上の利用分野】
　本発明は、インクジェット式記録ヘッド、より詳細には板材に通孔を穿設して各流路を形成した積層型記録ヘッド本体を固定するホルダとの取り付け構造に関する。
　【０００２】
　【従来の技術】
　入力情報に応じて複数のノズルからインク滴を噴射して文字や図形を出力するオンデマンド型インクジェツトヘツドは、ワイヤドット式記録ヘッドに比較して印字品質が高く、かつ騒音が低く、さらにページプリンタに比較してランニングコストが低いため急速に普及している。
　【０００３】
　このインクジェツト式記録ヘツドの中で、基板に複数のノズル開口を穿孔してプレートの面に垂直な方向にインク滴を吐出させる積層型インクジェット式記録ヘッドは、特開昭６２−１１１７５８号公報等に見られるように、平面上に配列された圧力発生室を区画するスペーサと、これの一方の面を封止するとともに、圧力発生室に対応して配置された圧電振動板を持つ弾性板と、他方の面を封止する蓋板からなるアクチュエータユニット、及びインクタンクに連通する流路と接続するインク供給口形成基板と、圧力発生室にインクを供給するリザーバ室を区画するリザーバ室形成基板と、圧力発生室に連通するノズル開口を備えたノズルプレートとを一体に構成した流路ユニットから構成されている。
　【０００４】
　このような積層構造を採るインクジェツト式記録ヘツドは、典型的にはその厚みが０．５ミリ程度で、機械的強度が低いため、インクタンク保持体に設けられたヘッドホルダに固定されてキャリッジに搭載される。
　【０００５】
　ホルダと記録ヘッドとの固定には通常、接着剤が使用されているが、流路ユニットに形成されているインク供給口に接着剤が流れ込んで、インクタンクから記録ヘッドへのインクの供給に障害が生じたり、また記録密度を向上するために複数のアクチュエータユニットを固定したものにあっては、インクカートリッジに連通する１つのインク供給路から複数のアクチュエータユニットにインクを確実、かつ平均に分配することが困難であったり、また接続箇所での気泡の停滞が生じ易いという問題がある。
　【０００６】
　【発明が解決しようとする課題】
　本発明はこのような問題に鑑みてなされたものであって、その目的とするところはインクカートリッジやインクタンクから記録ヘッドに確実にインクを供給することができるインクジェット式記録ヘッドを提供することである。
　【０００７】
　【課題を解決するための手段】
　このような問題を解消するために本発明においては、インク供給口を介して外部のインクタンクからインクの供給を受け、圧力発生手段により前記インクを加圧する圧力発生室と、前記圧力発生室で加圧されたインクをインク滴として吐出するノズル開口とを備えた記録ヘッド本体と、
　前記記録ヘッド本体を収容する凹部と、前記インクタンクとインク供給口とを連通させ、前記インク供給口と対向する前記凹部の底面に前記インク供給口を取り囲み、かつ周囲より突出した縁部を備えた接続口とが形成されたホルダとを、前記記録ヘッド
本体
してなり、前記縁部の突出により、前記縁部の外側領域には前記凹部の底面と前記記録ヘッド本体とを前記塗布した接着剤により固定する接着剤収容用の間隙が形成され、また前記縁部の内面側には前記外側領域から流れ込んだ接着剤を吸収して前記インク供給口に流れ込むのを阻止する接着剤吸収用の空間が形成されている
　【０００８】
　【作用】
　ホルダには、記録ヘッド本体を収容する凹部と、この凹部底面のインク供給口と対向する領域にインク供給口を取り囲み、かつ周囲より突出した縁部を備えた接続口が形成されていて、縁部の外側領域に接着剤を塗布して記録ヘッド本体を固定することにより、インク供給口の内部への接着剤の流れ込みを阻止して、記録ヘッド本体をホルダに確実に接着固定することができる。
　【０００９】
　【実施例】
　そこで以下に本発明の詳細を図示した実施例に基づいて説明する。
　図１、図２は、それぞれ本発明が適用されたインクジェット式記録ヘッドの一実施例を示すものであって、図中符号１は、記録ユニット本体を構成するフレームで、大略インクカートリッジ２を収容するインクカートリッジ収容室３を形成する容器として構成されている。
　【００１０】
　フレーム１の上部一側寄りにはインクカートリッジ２を固定するとともに、収容室３へのインクカートリッジ２の押し込み、引き上げ、及び固定を行うインクカートリッジ固定レバー４が設けられている。
　【００１１】
　フレーム１の底面には、インクカートリッジ２のインク針挿入口５に挿入されるインク供給針６が植設されていて、インクカートリッジ２から後述するヘッドケース１０に設けられたインク流路１１を介して記録ヘッド本体１２にインクを供給できるようになっている。
　【００１２】
　また、キャリッジに搭載したとき前方となる側には記録ヘッド本体１２を駆動する駆動回路を実装した回路基板１３が固定されていて、フレキシブルケーブル１４によりヘッド本体１２に接続されている。
　【００１３】
　１０は、前述のヘッドケースで、インク溶媒に対する耐久性、ガスバリア性、射出成形性、熱溶着性、及び接着性を備えた高分子材料、例えば環状オレフィンコポリマー樹脂を射出成形して、インク流路１１に連通させてインク供給針６の基台部６ａが固定されており、フレーム１の底面にネジ１５、１５で固定されている。
　【００１４】
　図３、図４は、それぞれ上述した記録ヘッド本体１２の一実施例を示すもので、図中符号２０は、流路ユニットで、少なくとも３つのアクチュエータユニット３１、３２、３３が重なることなく配置できるサイズの金属材からなるノズルプレート２５と、リザーバ室形成基板２６、インク供給口形成基板２７とを積層して構成されている。
　【００１５】
　リザーバ室形成基板２６は、リザーバ室２６ａ、２６ｂ、２６ｃ、２６ｄ、２６ｅ、２６ｆを区画する通孔と、及びノズル開口と圧力発生室３７ａ、３８ａ、３９ａを接続する通孔２６ｇ、２６ｈ、２６ｉ、２６ｊ、２６ｋ、２６ｌとが形成されており、これら通孔の一方の面をノズルプレート２５で、他方の面をインク供給口形成基板２７で封止することでリザーバ室２６ａ、２６ｂ、２６ｃ、２６ｄ、２６ｅ、２６ｆが構成されている。
　【００１６】
　インク供給口形成基板２７は、アクチュエータユニット３１、３２、３３を固定するユニット固定領域と、リザーバ室２６ａ、２６ｂ、２６ｃ、２６ｄ、２６ｅ、２６ｆとインクカートリッジとを接続するインク供給口２７ａ、２７ｂ、２７ｃ、２７ｄ、２７ｅ、２７ｆを備えた接続領域とに分けられ、ユニット固定領域には、リザーバ室２６ａ、２６ｂ、２６ｃ、２６ｄ、２６ｅ、２６ｆと後述する圧力発生室３７ａ、３８ａ、３９ａとを接続する通孔２７ｇ、２７ｈ、２７ｉ、２７ｊ、２７ｋ、２７ｌ、及び圧力発生室３７ａ、３８ａ、３９ａとノズル開口群２１、２２、２３とを接続する通孔２７ｍ、２７ｎ、２７ｏ、２７ｐ、２７ｑ、２７ｒとが設けられている。
　【００１７】
　一方、各アクチュエータユニット３１、３２、３３は、それぞれ圧電振動子３４ａ、３５ａ、３６ａが表面に固定された振動板３４、３５、３６と、圧力発生室３７ａ、３８ａ、３９ａを形成するスペーサ３７、３８、３９と、圧力発生室３７ａ、３８ａ、３９ａの他方の面を封止するとともに、リザーバ室２６ａ、２６ｂ、２６ｃ、２６ｄ、２６ｅ、２６ｆと圧力発生室３７ａ、３８ａ、３９ａとを接続する通孔４０ａ、４１ａ、４２ａと、ノズル開口郡２１、２２、２３と圧力発生室３７ａ、３８ａ、３９ａとを接続する通孔４０ｂ、４１ｂ、４２ｂとを備えた蓋部材４０、４１、４２を重ね合わせて構成されている。
　【００１８】
　これらアクチュエータユニット３１、３２、３３は、図４に示したように流路ユニット２７に接着剤などで固定されて記録ヘッド本体１２として一体に纏められている。
　【００１９】
　図５は、前述のヘッドホルダ１０と記録ヘッド本体１２の接合構造の一実施例を示すものであって、ヘッドホルダ１０の下面には記録ヘッド本体１２の外周にほぼ一致する凹部５２が形成され、またインク供給口２７ａ、２７ｂ、２７ｃ、２７ｄ、２７ｅ、２７ｆに対向する位置には、底部がインク流路１１に連通する接続口５０が設けられている。
　【００２０】
　接続口５０の周囲には凹部５２の底面１０ａよりも若干、例えば４０μｍ程度突出し、かつ幅１５０μｍ程度の縁部５０ａ、５０ｂを、そのインク流路１１の内面がインク流路１１の内周面１１ａより若干外側となるように形成されている。
　【００２１】
　これにより、接続口５０の内周には接着剤吸収用の空間５３が形成され、また他側側には接着剤を収容するための間隙５４が確保されている。
　【００２２】
　図６は、接続口５０の一実施例を示すものであって、インク流路１１の対称線Ｃとしてここから両側に若干の勾配をもって降下する細長い凹部として形成され、長手方向のサイズはその端部５０ｃが図７に示したようにここに位置するインク供給口２７ａ、及び２７ｆを若干跨ぐようにインク供給口２７ａ、２７ｂ、２７ｃ、２７ｄ、２７ｅ、２７ｆの領域よりも若干小さ目に設定されている。
　【００２３】
　一方、接続口５０は、その幅が各インク供給口２７ａ、２７ｂ、２７ｃ、２７ｄ、２７ｅ、２７ｆの端部とラップする程度で、かつ両端において若干先細りとなり、その先端には前述したように周囲より若干突出した縁部５０ａ、５０ｂが形成されている。
　【００２４】
　この結果、ヘッドホルダ１０の凹部５２の接続口５０よりも外側の底部１０ａに接着剤５１を塗布してから、この凹部５２に記録ヘッド本体１２を挿入すると、記録ヘッド本体１２に形成されている位置決め用の孔（図示せず）にヘッドホルダ１０の位置決め用突起５０ｄ、５０ｄが嵌合して所定の位置にセットされる。
　【００２５】
　ところで、接続口５０の周縁は、ホルダ１０の底面１０ａよりも若干突出した縁部５０ａ、５０ｂに囲まれているため、ホルダ１０と記録ヘッド本体１２との接合時に接着剤５１が溢れ出したとしても、この縁部５０ａ、５０ｂにより接続口５０に流れ込むのが阻止される。これによりインク供給口２７ａ、２７ｂ、２７ｃ、２７ｄ、２７ｅ、２７ｆと接続口５０との接続面積を縁部５０ａ、５０ｂの大きさで規定することができる。また、たとえ流れ出したとしても、縁部５０ａ、５０ｂがインク供給口１１の内周面１１ａより外側に位置していて、空間５１ａが形成されているため、この空間５１ａに吸収され、インク供給口１１に流れ込むのを阻止される。
　【００２６】
　このように構成された記録ヘッドにおいて、印刷によりインクが消費されると、インクカートリッジ２０からインク供給針６、インク流路１１を経由して接続口５０にインクが流れ込み、ヘッド本体１２のインク供給口２７ａ、２７ｂ、２７ｃ、２７ｄ、２７ｅ、２７ｆを経由してリザーバ室２６ａ、２６ｂ、２６ｃ、２６ｄ、２６ｅ、２６ｆに流れ込む。
　【００２７】
　接続口５０は、その長手方向の端部５０ｃ、５０ｃにおいて若干先細りで、かつ両端のインク供給口２７ａ及び２７ｆに対して若干オーバラップするように位置決めされているから、接続口５０の端部に淀みを生じることがなく、接続口５０の両端部５０ｃ、５０ｃに気泡が停滞することはない。
　【００２８】
　一方、接続口５０の長手方向の縁部５０ａ、５０ｂの一方、この実施例では縁部５０ｂがインク供給口２７ａ、２７ｂ、２７ｃ、２７ｄ、２７ｅ、２７ｆに接するように位置しているため、やはり少なくともインク供給口２７ａ、２７ｂ、２７ｃ、２７ｄ、２７ｅ、２７ｆ側でのインクの淀みがなくなり、印字に影響を与える気泡の停滞を防止することができる。
　【００２９】
　なお、上述の実施例においては、インク供給口１１の周縁に形成する縁部５０ａ、５０ｂをインク供給口１１の内周面１１ａよりも若干外側に位置させて、接着剤吸収用の空間５３を確保するとともに、他側にも接着剤を収容するための間隙５４を積極的に形成するようにしているが、図８に示したようにインク供給口１１の内周面１１ａに一致させて縁部５０ａ、５０ｂを形成しても、接着剤を可及的に薄く塗布しさえすれば、インク供給口１１を狭くする等の不都合は生じない。また、他側の接着剤収容用の間隙５４を特に設けなくても、ここは単なる固定部で、接着剤が流れ出したとしてもインクの流れに関与しないから、実用上問題を起こすことはない。
　【００３０】
　【発明の効果】
　以上、説明したように本発明によれば、接続口の周囲に形成されている縁部により接着剤が接続口やインク供給口の内部に流れ込むのを防止して、記録ヘッド本体をホルダに接着固定することができる。
【図面の簡単な説明】
　【図１】
　本発明のインクジェット式記録ヘッドの一実施例を示す組立て斜視図である。
　【図２】
　本発明のインクジェット式記録ヘッドの断面図である。
　【図３】
　同上記録ヘッドに使用する記録ヘッド本体の一実施例を示す組立て斜視図である。
　【図４】
　同上記録ヘッド本体の一実施例を示す斜視図である。
　【図５】
　記録ヘッド本体とヘッドホルダとの固定部の構造を示す断面図である。
　【図６】
　同図（イ）、（ロ）は、それぞれ記録ヘッド本体のインク供給口とヘッドホルダの接続口との接続構造を示す図である。
　【図７】
　ヘッドホルダの接続口の端部とインク供給口との位置関係を拡大して示す図である。
　【図８】
　本発明の他の実施例を記録ヘッド本体とヘッドホルダとの固定部の構造で示す図である。
　【符号の説明】
　１　フレーム
　２　インクカートリッジ
　６　インク供給針
　１０　ヘッドホルダ
　１１　インク供給流路
　１２　記録ヘッド
　２０　流路ユニット
　２１、２２、２３　ノズル開口群
　２６ａ、２６ｂ、２６ｃ、２６ｄ、２６ｅ、２６ｆ　リザーバ室
　２７ａ、２７ｂ、２７ｃ、２７ｄ、２７ｅ、２７ｆ　インク供給口
　３１、３２、３３　アクチュエータユニット
　５０　接続口
　５０ａ、５０ｂ　縁部
　５１　接着剤
　５２　記録ヘッド本体収容凹部